(57)【特許請求の範囲】
【請求項１】
歯面に取り付けたブラケットにワイヤを保持させて歯を引っ張って移動させる際に用いられる歯列矯正用冶具であって、
前記歯の裏面にスペーサを介して取り付けられるとともに、前記ワイヤを保持させるためのブラケットと、
長尺で薄肉板状で、且つ湾曲可能な一体型の湾曲体からなり、前記湾曲体の軸方向の一端に前記ブラケットに着脱可能なブラケット取付部を有し、前記ブラケットを前記歯に対して所定位置に位置決めするための位置決めプレートと、
を備え、
前記ブラケットを矯正目標として形成した模型歯の歯列に沿うアーチ状のワイヤに保持可能な位置に位置決めし、その位置で前記歯に仮止めした前記ブラケットに前記位置決めプレートを取り付けるとともに、前記位置決めプレートの先端部を前記模型歯の先端に接触又は近接するように湾曲させ、
前記先端部と前記模型歯の先端とを埋め込んだ形状のキャリアを形成するように構成されていることを特徴とする歯列矯正用冶具。
【請求項２】
前記ブラケット取付部は、前記湾曲体の一端面から突出してなる係合凸部を有し、
前記ブラケットには、一端面に前記係合凸部に係合可能な係合凹部が形成されていることを特徴とする請求項１に記載の歯列矯正用冶具。
【発明の詳細な説明】
【技術分野】
【０００１】
本発明は、歯面に取り付けたブラケットにワイヤを保持させて歯を引っ張って移動させるインダイレクトボンディングに使用される歯列矯正用冶具に関する。
【背景技術】
【０００２】
従来、歯列の矯正方法として、インダイレクトボンディングが知られている（例えば、特許文献１参照）。このようなインダイレクトボンディングは、予め患者の歯を最終矯正目標とするきれいなアーチ状の歯列となるように正確に複製した作業用模型（模型歯）を石膏により形成し、この目標歯列のアーチに沿うアーチワイヤを形成し、このアーチワイヤに保持され、且つそれぞれの歯に対応する所定位置にブラケットを定める。具体的には、歯は患者個人によってそれぞれ１本ずつ厚みや形状が異なっているため、前記アーチワイヤにブラケットの一端を仮止めし、そのときのブラケットと模型歯との隙間にレジンを埋めてスペーサを設けるようにする。
【０００３】
次いで、ブラケットを埋め込むようにして模型歯にレジン等の合成樹脂材料を被せることで、それぞれの歯に対応する形状のコア（以下、キャリアと呼ぶ）を形成する。これにより、矯正目標とする歯列のそれぞれの歯に対応してブラケットを位置決めさせるためのキャリアが形成されることになる。そして、歯から取り外したキャリアの内面は、ブラケットの歯側固着面が露出した状態となっている。そして、各ブラケットを患者の歯面に移動させる際には、予め模型歯上で作成しておいたキャリアを患者の歯に被せつつブラケットの歯側固着面を接着剤によって歯面に固着させる。そして、接着剤が十分に硬化したらキャリアを取り外し、歯に取り付けられたブラケットに例えば奥歯などに固定されたアーチワイヤを保持させることで、歯にワイヤ側への緊張を与えて、その歯を漸次移動させることで目標の歯列となるように矯正するものである。
【特許文献１】特表２００７−５０７２８７８号公報
【発明の開示】
【発明が解決しようとする課題】
【０００４】
しかしながら、従来のインダイレクトボンディングによる歯列矯正では以下のような問題があった。
すなわち、ブラケットを埋め込んだ形状のキャリアを作成する際に、流体状の合成樹脂を各模型歯を覆うようにして流し込むと隣接する歯側にも合成樹脂がまわってしまうことになる。そのため、硬化した合成樹脂の不要な部分を除去してキャリアの外形を整えるための削りだし作業が必要であり、その作業に手間と時間がかかることから、作業効率が低下するという問題があった。
【０００５】
また、歯の裏面とアーチワイヤに保持されるブラケットとの間隔が大きい場合には、形成されるキャリアの厚さ寸法が大きくなる。また、レジン等は強度をもたせる関係上、厚みをもたせる必要があり、どうしてもキャリア自身の厚みが厚くなる傾向があった。そのため、例えば矯正前の患者の歯にねじれ（ガタツキ）がある場合、歯にキャリアを取り付ける際に隣接するキャリア同士が干渉するおそれがあり、正確な位置にブラケットを固着できないという問題があった。
さらに、ブラケットの歯側固着面を歯に接着するための接着剤の余剰部分を除去する必要があるが、キャリアの形状は、ブラケットを覆って埋め込む形状であり、キャリアと歯との間に前記余剰部分を除去するための十分なスペースがなく、その作業が極めて困難であるという欠点があった。
【０００６】
本発明は、上述する問題点に鑑みてなされたもので、キャリア作成の手間を少なくすることで、作業効率の向上が図れ、作業時間の短縮を図ることができる歯列矯正用冶具を提供することを目的とする。
また、本発明の他の目的は、キャリアの外形を小さく薄くすることで、作業空間を確保して作業性を向上させるとともに、患者の歯に取り付けたキャリア同士が干渉する不具合を防ぐようにした歯列矯正用冶具を提供することである。
【課題を解決するための手段】
【０００７】
上記目的を達成するため、本発明に係る歯列矯正用冶具は、歯面に取り付けたブラケットにワイヤを保持させて歯を引っ張って移動させる際に用いられる歯列矯正用冶具であって、歯の裏面にスペーサを介して取り付けられるとともに、ワイヤを保持させるためのブラケットと、長尺で薄肉板状で、且つ湾曲可能な一体型の湾曲体からなり、湾曲体の軸方向の一端にブラケットに着脱可能なブラケット取付部を有し、ブラケットを歯に対して所定位置に位置決めするための位置決めプレートとを備え、ブラケットを矯正目標として形成した模型歯の歯列に沿うアーチ状のワイヤに保持可能な位置に位置決めし、その位置で前記歯に仮止めしたブラケットに位置決めプレートを取り付けるとともに、位置決めプレートの先端部を模型歯の先端に接触又は近接するように湾曲させ、先端部と模型歯の先端とを埋め込んだ形状のキャリアを形成するように構成されていることを特徴としている。
【０００８】
本発明では、キャリアの作成時において、矯正目標として形成した模型歯の歯列に沿うアーチ状のワイヤに保持可能な位置にブラケットを位置決めし、その位置で歯に仮止めしたブラケットに位置決めプレートを取り付け、その先端部を模型歯の先端に対して接触又は近接する位置となるように湾曲させるといったおおまかな位置合わせによって、先端部と模型歯の先端を埋め込む形状のキャリアを形成することができる。したがって、例えば高精度な位置決め作業を行う必要がなく、作業を容易に行うことができる。
また、キャリアの大きさを従来のようにブラケットをキャリアに埋め込むように形成した大きさに比べて薄く且つ小さくすることができるため、ブラケットの周囲には隙間が形成されることになる。そのため、ブラケットの周囲に作業空間が確保されることになり、例えばスペーサからはみ出した接着剤の余剰分を容易に取り除くことができる。さらに、キャリアを模型歯の先端のみに設けることができるうえ、コンパクト化させることができるので、従来のようにレジン等の合成樹脂が硬化してからキャリアを削りだすといったキャリアの形成時の作業工程が不要となり、作業の簡略化を図ることができる。
また、プレート体が薄肉板状であるので湾曲させ易い構造であり、そのプレート体の先端部を模型歯の先端に対して接触又は近接する位置となるように湾曲させて、先端部と模型歯の先端を埋め込む形状のキャリアを形成することができる。
【０００９】
また、本発明に係る歯列矯正用冶具では、ブラケット取付部は、湾曲体の一端面から突出してなる係合凸部を有し、ブラケットには、一端面に係合凸部に係合可能な係合凹部が形成されていることが好ましい。
【００１０】
本発明では、ブラケットに形成される係合凹部に、位置決めプレートの係合凸部を係合させることで、位置決めプレートをブラケットの所定の位置に容易に配置することができる。
そして、例えばその位置で位置決めプレートとブラケットとを輪ゴム等の連結材を使用して簡単に取り付けることができるので、位置決めプレートとブラケットとの着脱が容易となり、キャリア作成時における作業効率の向上を図ることができる。
【発明の効果】
【００１３】
本発明の歯列矯正用冶具によれば、キャリアの作成時において、所定の位置に位置決めしたブラケットに位置決めプレートを取り付け、その先端部を模型歯の先端に対して接触又は近接する程度のおおまかな位置となるように湾曲させればよい構成であることから、高精度な位置決め作業を行う必要がなくなり、キャリア作成の手間を少なくすることができ、作業効率の向上が図れ、作業時間の短縮を図ることができる。
また、歯列矯正用冶具によれば、キャリアの外形を従来のようなブラケットを埋め込んだ形状のキャリアと比べて小さくすることで、ブラケットの周囲に隙間が形成されて作業空間を確保することができる。したがって、作業性の向上を図ることができるうえ、患者の歯に取り付けたキャリア同士が干渉するといった不具合を防止する効果を奏する。
【発明を実施するための最良の形態】
【００１４】
以下、本発明の歯列矯正用冶具の実施の形態について、図１乃至図８に基づいて説明する。
図１は本発明の実施の形態による歯列矯正用冶具を歯に取り付けた状態を示す図、図２は歯列矯正用冶具のブラケットおよび位置決めプレートの構成を示す斜視図、図３はブラケットの構成を示す図であって、（ａ）はその側面図、（ｂ）は（ａ）に示すＡ−Ａ線矢視図、図４は位置決めプレートの構成を示す図であって、（ａ）はその側面図、（ｂ）は（ａ）に示すＢ−Ｂ線矢視図、図５はブラケットに位置決めプレートを取り付けた状態を示す側面図、図６は図５に示すＣ−Ｃ線矢視図、図７は模型歯の歯列に沿って仮止めされたブラケットを保持させた状態を示す図、図８はキャリアを作成する作業状態を示す図である。
【００１５】
図１の符号Ｄは、目標とする矯正後の歯列形状をなす歯、或いはその模型歯を示している。なお、以下の説明では、口内の上下方向で歯先に向かう方向を「先端」側、その反対側を「基端」側と統一して用いる。
【００１６】
図１に示すように、本実施の形態による歯列矯正用冶具１は、歯面に取り付けたブラケットを最終矯正目標とする歯列に沿って形成されるアーチ状のワイヤ（以下、アーチワイヤ２という）によって引っ張って、歯を目標の位置へ移動させる周知のインダイレクトボンディングによる歯列矯正に用いられるものである。
ここで、アーチワイヤ２は、そのアーチ部２ａが矯正する歯に対応する範囲に形成されたものであり、本実施の形態では前歯から小臼歯（或いは大臼歯）までの範囲とされ、アーチ部２ａに対応する歯を所望の位置に移動するように案内するものである。
【００１７】
図１及び図２に示すように、具体的に歯列矯正用冶具１は、個々の歯Ｄ（或いは模型歯Ｄ）の裏面Dｂの所定位置にベースレジン３（スペーサ）を介して取り付けられると共に目標の歯列形状に沿って形成されたアーチワイヤ２のアーチ部２ａを保持させるためのブラケット１０と、そのブラケット１０を個々の歯に対応する所定位置に定めるための位置決めプレート２０とからなる。つまり、歯列矯正用冶具１は、ブラケット１０を模型歯に対して最適な位置に定め、最適な位置のブラケット１０を患者の矯正前の歯に対して再現するようにして取り付けるための冶具である。
ここで、図１に示すベースレジン３として、流動性及び硬化性を有するプラスチック等の合成樹脂材料を用いることができる。
【００１８】
図３（ａ）及び（ｂ）に示すように、ブラケット１０は、本体１１と、本体１１の一端面に設けられていてベースレジン３（図中の二点鎖線）に固着される歯側定着面１２ａを有する平板状の定着板１２と、本体１１の他端面に形成されたアーチワイヤ２を保持させるための凹溝１３と、凹溝１３を挟んだ両側に図３（ａ）に示す側面視で略鉤状に形成された第１突出部１４及び第２突出部１５とを備えている。ここで、ブラケット１０は、図３（ａ）において紙面に向かって左側を歯の先端側に向けた状態で配置されることになる（図７参照）。
【００１９】
定着板１２は、接着剤（後述する）の接着性を高めるために歯側定着面１２ａのほぼ全体が凹凸状に形成されている。
凹溝１３は、ブラケット１０を歯に取り付けた状態でアーチワイヤ２の軸線方向に沿う方向に延びて形成されている。
【００２０】
第１突出部１４は、本体１１より基端側に突出した状態で形成され、歯側と反対側の端面に形成された第１係合凹部１４ａと、第１突出部１４の歯面側に輪ゴムなどの連結材５を引っ掛けるようにして係止させるための第１係止部１４ｂとが形成されている。
第２突出部１５は、本体１１より先端側に突出した状態で形成され、歯側と反対側の端面に形成された第２係合凹部１５ａと、第２突出部１５の歯面側に連結材５を引っ掛けるようにして係止させるための第２係止部１５ｂとが形成されている。そして、第２突出部１５の先端側端部１５ｃには、後述する位置決めプレート２０の係止部２２ｃ（図４（ａ）参照）が当接するように構成されている。
【００２１】
図４（ａ）及び（ｂ）に示すように、位置決めプレート２０は、長尺で薄肉板状をなす湾曲可能なプレート体２１（湾曲体）からなり、プレート体２１の軸方向で基端２１ｂ側に図３に示すブラケット１０に着脱可能なブラケット取付部２２を有している。そして、位置決めプレート２０は、ブラケット１０を模型歯の歯列に沿うアーチワイヤ２に保持可能な位置に位置決めし、その位置で歯に仮止めしたブラケット１０に取り付けられる。そして、位置決めプレート２０のプレート体２１のプレート先端部２１ａを模型歯の先端に接触又は近接するように湾曲可能な構成となっている。これにより、湾曲されたプレート先端部２１ａと模型歯の先端とを埋め込んだ形状のキャリア４（図８参照）を形成することができるようになっている。
【００２２】
ここで、図８に示すキャリア４は、レジン等の合成樹脂の材料からなり、矯正前の患者の歯を石膏等で正確に複製した模型歯において、位置決めプレート２０を介してブラケット１０をそれぞれの歯に対して最適な位置に定めるとともに、ブラケット１０を模型歯から患者の歯に移動させて前記最適な位置を再現させるものである。
【００２３】
図４（ａ）及び（ｂ）に示すように、ブラケット取付部２２は、プレート体２１の軸方向で基端側に設けられ、ブラケット１０の第１係合凹部１４ａに係合可能に対応する第１係合凸部２２ａと、同じくブラケット１０の第２係合凹部１５ａに係合可能に対応する第２係合凸部２２ｂと、第２係合凸部２２ｂの先端側において第２係合凸部２２ｂよりも大きく突出する係止部２２ｃと、プレート体２１の歯側と反対側の面から突出する突起部２２ｄとからなる。
つまり、図５及び図６に示すように、第１係合凸部２２ａがブラケット１０の第１係合凹部１４ａに係合しつつ第２係合凸部２２ｂが第２係合凹部１５ａに係合し、さらに係止部２２ｃが第２突出部１５の先端側端部１５ｃに当接することで、ブラケット１０に対して位置決めプレート２０が所定位置に配置された状態となる。
【００２４】
位置決めプレート２０は、例えばステンレスなどの金属製の材料から形成され、プレート体２１は例えば略２ｍｍの幅寸法（図４（ｂ）に示すＷ）となっている。そして、プレート体２１の長さ寸法は、任意とされるが、歯の所定位置に取り付けたブラケット１０に位置決めプレート２０を取り付けた状態で、プレート先端部２１ａが歯の先端付近となる長さ寸法とされ、好ましくは歯の先端より僅かに長い寸法とされる。要するに、プレート体２１は、プレート先端部２１ａを湾曲させたときに、プレート先端部２１ａが歯の先端に接触又は近接する位置となるような長さ寸法であればよいのである（図７及び図８参照）。
【００２５】
次に、上述した歯列矯正用冶具１を使用した歯列矯正方法について図面に基づいて説明する。
図１に示すように、先ず、患者の歯型を石膏で作製し、個々の歯を最終形状の歯列となるように並べた模型歯Ｄを作成する。そして、模型歯Ｄによる歯列のアーチに沿ったアーチ部２ａを有するアーチワイヤ２を形成し、そのアーチワイヤ２の両端部２ｂ、２ｃをそれぞれ左右両側の奥歯Ｄ１、Ｄ２（つまり固定源）に二点鎖線に示す接続部材６、６によって固定する。
【００２６】
次に、図１に示すように、ブラケット１０をその凹溝１３内に係合させるようにしてアーチワイヤ２に保持させることで、歯に対して所定の位置にブラケット１０を位置決めすることができる。具体的には、図３（ａ）に示した第１係止部１４ｂと第２係止部１５ｂとに輪ゴムなどの連結材５を引っ掛けることで、凹溝１３に係合したアーチワイヤ２をそのアーチのワイヤ内周側から押さえ付けるようにして固定する。このとき、各ブラケット１０は、模型歯Ｄに対して隙間を有する非固定状態、つまり模型歯Ｄに対向する位置で浮いた状態となっている。
【００２７】
次いで、模型歯Ｄ毎に、ブラケット１０と模型歯Ｄとの間の隙間にベースレジン３を圧接しながら埋め込む。そして、ベースレジン３が硬化したら、ベースレジン３の余剰分を適宜削って取り除くようにする。この余剰分の除去作業は、一旦、ベースレジン３を固着させた状態のブラケット１０をアーチワイヤ２及び模型歯Ｄから取り外して行う。
その後、図７に示すように、ブラケット１０を再び模型歯Ｄに戻すことになる。このとき、ベースレジン３が固定されたブラケット１０は、ベースレジン３を介して模型歯Ｄに取り付けることで、上述した所定の位置に位置決めさせることができるので、アーチワイヤ２を使用しないで模型歯Ｄに取り付ける。
そして、模型歯Ｄに戻すブラケット１０には、位置決めプレート２０を取り付けておく。
【００２８】
図３、図４及び図５に示すように、上述した所定位置に位置決めしたブラケット１０に位置決めプレート２０を取り付ける方法は、ブラケット１０の第２突出部１５の先端側端部１５ｃに位置決めプレート２０の係止部２２ｃを当接させるようにしつつ、ブラケット１０の第１係合凹部１４ａと第２係合凹部１５ａとのそれぞれに、位置決めプレート２０の第１係合凸部２２ａと第２係合凸部２２ｂとを係合させる。そして、図７に示すように、位置決めプレート２０の突起部２２ｄとブラケット１０の第１係止部１４ｂとに輪ゴム等の連結材５を引っ掛けて止めることで、ブラケット１０と位置決めプレート２０とが連結されることになる。
【００２９】
なお、予め模型歯Ｄの裏面Ｄｂには、図示しない縦溝を形成しておく。そうすると、上述したベースレジン３の歯の裏面Ｄｂ側の固着面には、前記縦溝に係止する凸状部（図示省略）が形成されることになる。このように、縦溝と凸状部とを互いに係合するように設けることで、ブラケット１０にベースレジン３を固着させた後に、ブラケット１０を模型歯Ｄから取り外しても、再び模型歯Ｄの同じ位置に取り付けることができる。そのため、上述したように、ベースレジン３を固着させたブラケット１０は、アーチワイヤ２を使用することなく、模型歯Ｄにおける所定の位置に戻すことができるようになっている。
【００３０】
次に、図８に示すように、歯Ｄに対してブラケット１０を所定の位置とするためのキャリア４を作成する工程を行う。
具体的には、位置決めプレート２０のプレート体２１のプレート先端部２１ａを矢印Ｅ方向に示すように模型歯Ｄの先端Ｄａ側に向けて湾曲させ、そのプレート先端部２１ａを模型歯Ｄの先端Ｄａに対して接触或いは近接した状態とし、これらプレート先端部２１ａ及び模型歯Ｄの先端Ｄａをレジン等で覆うようにして埋め込んでキャリア４を作成する。これにより位置決めプレート２０がキャリア４と一体化した状態となり、個々の歯に対応した最適な位置にブラケット１０を定めた冶具が形成されることになる。この際、ベースレジン３の歯の裏面Ｄｂ側の固着面に形成した凸状部は取り除いておく。
【００３１】
続いて、ブラケット１０と位置決めプレート２０とを備えたキャリア４を模型歯Ｄから取り外す。そして、患者の歯列矯正時において、形成した位置決めプレート２０付きのキャリア４のそれぞれを、矯正前の歯に被せて取り付ける。この際、キャリア４を歯に被せつつベースレジン３の歯側固着面に図示しない接着剤を塗布して歯面に固着させる。そして、ベースレジン３からはみ出した接着剤の余剰分は、取り除いておく。
【００３２】
その後、接着剤が十分に硬化したらキャリア４及び位置決めプレート２０をブラケット１０から取り外し、各歯に固着されたブラケット１０の凹溝１３にアーチワイヤ２を保持させ、矯正前の歯にワイヤ側への緊張を与えた状態を形成する。なお、矯正の初期段階では比較的軟質のアーチワイヤ２を使用し、歯が漸次移動するにしたがって段階的に硬質のアーチワイヤ２に変更していくようにする。これにより、患者の歯を矯正目標となる歯列形状に矯正することができる。
【００３３】
このように、位置決めプレート２０のプレート体２１は、細長の薄板形状であって、その厚み方向に曲げ易い形状であり、そのプレート先端部２１ａを模型歯Ｄの先端Ｄａ側に導き易い構造となっている。そして、本歯列矯正用冶具１では、キャリア４の作成時において、矯正目標として形成した模型歯Ｄの歯列に沿うアーチワイヤ２に保持可能な位置にブラケット１０を位置決めし、その位置で歯に仮止めしたブラケット１０に位置決めプレート２０を取り付け、そのプレート先端部２１ａを模型歯Ｄの先端Ｄａに対して接触又は近接する位置となるように湾曲させるといったおおまかな位置合わせによって、プレート先端部２１ａと模型歯Ｄの先端Ｄａを埋め込む形状のキャリア４を形成することができることから、例えば歯に対して位置決めプレート２０を高精度に位置決めする必要がなく、作業を容易に行うことができる。
【００３４】
また、図８に示すキャリア４の外形（大きさ）は、少なくともプレート先端部２１ａ及び模型歯Ｄの先端Ｄａがキャリア４に埋めることが可能な大きさを有していればよく、従来のようにブラケット１０をキャリア４に埋め込むように形成した大きさと比べて小さく且つ薄くすることができる。そのため、ブラケット１０の周囲には隙間（例えば、図８に示す符号Ｓ）が形成されて作業空間が確保されることになることから、上述したベースレジン３からはみ出した接着剤の余剰分を容易に取り除くことができる。
【００３５】
さらに、キャリア４の大きさを小さく且つ薄くすることができるので、例えば矯正前の患者の歯にねじれ（ガタツキ）がある場合であっても隣り合うキャリア４、４同士が干渉して正確な位置にブラケット１０を配置させることができないといった不具合を防止することができる。
【００３６】
さらにまた、本歯列矯正用冶具１では、キャリア４を歯の先端のみに設けることができるうえ、コンパクト化させることができるので、従来のようなレジン等の合成樹脂が硬化してからキャリアを削りだすといったキャリアの形成時の作業工程が不要となり、作業の簡略化を図ることができる。
また、ブラケット１０に形成される第１、第２係合凹部１４ａ、１５ａに、位置決めプレート２０の第１、第２係合凸部２２ａ、２２ｂを係合させることで、位置決めプレート２０をブラケット１０の所定の位置に容易に配置することができる。そして、その位置でブラケット１０と位置決めプレート２０とを輪ゴム等の連結材５を使用して簡単に取り付けることができるので、位置決めプレート２０とブラケット１０との着脱が容易となり、キャリア作成時における作業効率の向上を図ることができる。また、ブラケット１０脱離の再接着の際にも、ブラケット１０を容易に戻すことができる。
【００３７】
上述した本実施の形態による歯列矯正用冶具では、キャリア４の作成時において、所定の位置に位置決めしたブラケット１０に位置決めプレート２０を取り付け、そのプレート先端部２１ａを模型歯の先端に対して接触又は近接する程度のおおまかな位置となるように湾曲させればよい構成であるから、高精度な位置決め作業を行う必要がなくなり、キャリア作成の手間を少なくすることができ、作業効率の向上が図れ、作業時間の短縮を図ることができる。
また、本歯列矯正用冶具１では、キャリア４の外形を従来のようなブラケットを埋め込んだ形状のキャリアと比べて小さくすることで、キャリア４の周囲に隙間が形成されて作業空間を確保することができる。したがって、作業性の向上を図ることができるうえ、患者の歯に取り付けたキャリア４、４同士が干渉するといった不具合を防止することができる。
【００３８】
次に、本発明の実施の形態の変形例について、添付図面に基づいて説明するが、上述の実施の形態と同一又は同様な部材、部分には同一の符号を用いて説明を省略し、実施の形態と異なる構成について説明する。
図９は本実施の形態の変形例による歯列矯正用冶具の構成を示す側面図である。
図９に示す本変形例の歯列矯正用冶具１Ａは、上述した実施の形態のブラケット１０（図５参照）の構成を代えたものである。具体的には、実施の形態では本体１１に設けられる凹溝１３が１箇所であるが、本変形例では二箇所の凹溝１３（第１凹溝１３Ａ、第２凹溝１３Ｂ）を設けた構成となっており、ブラケット１０Ａにアーチワイヤ２を保持させる場合に採用されるものである。なお、位置決めプレート２０の構成は、実施の形態と同様であるので説明は省略する。
【００３９】
第１凹溝１３Ａは、図５に示す実施の形態の凹溝１３に相当し、その両側には位置決めプレート２０のブラケット取付部２２（図４（ａ）参照）を取り付けるための第１突出部１４と第２突出部１５とを有している。第２凹溝１３Ｂは、ブラケット１０Ａを歯に固定した状態で第１凹溝１３Ａの位置よりも歯の先端側で且つ歯の裏面側に寄った位置に配置されている。そして、第２凹溝１３Ｂの先端側には、前記第１突出部１４と略同形状をなし歯面側に第３係止部１６ｂを有する第３突出部１６が形成されている。また、第２凹溝１３Ｂを挟んで第３突出部１６の反対側に位置する本体１１には、定着板１２側の一部が切り取られた切欠部１１ａが形成されている。その切欠部１１ａには第３係止部１６ｂに引っ掛けた輪ゴム等の連結材５Ｂを第２凹溝１３Ｂを跨ぐようにして掛止するための第４係止部１１ｂが形成されている。
【００４０】
ブラケット１０Ａと位置決めプレート２０とは、位置決めプレート２０の突起部２２ｄとブラケット１０Ａの第１係止部１４ｂとに輪ゴム等の連結材５Ａを引っ掛けて止めることで連結されることになる。そして、第２凹溝１３Ｂに係合したアーチワイヤ２は、第３突出部１６の第３係止部１６ｂと第４係止部１１ｂとに引っ掛けられた連結材５Ｂによってワイヤ内周側から押さえ付けるようにして固定された状態となっている。
本変形例では、ブラケット１０にアーチワイヤ２を保持させることができ、位置決めプレート２０を上述した実施の形態と同様の形態により取り付けることができるので、実施の形態と同様の作用、効果を奏する。
【００４１】
以上、本発明による歯列矯正用冶具の実施の形態及び変形例について説明したが、本発明は上記の実施の形態及び変形例に限定されるものではなく、その趣旨を逸脱しない範囲で適宜変更可能である。
例えば、本実施の形態では位置決めプレート２０のプレート体２１の形状を薄肉板状としているが、この形状（厚さ寸法、長さ寸法）に限定されることはなく、例えば長尺棒状部材の湾曲体を使用することができる。
また、位置決めプレート２０のプレート体２１は、プレート先端部２１ａを模型歯の先端側に向けて湾曲し易いような長さ寸法となるように、キャリア作成時に適宜切断するようにしてもよい。
【００４２】
さらに、本実施の形態ではキャリア４を作成する際にプレート先端部２１ａを湾曲させて歯の先端に接触又は近接するようにしているが、例えば所定位置に固定されたブラケット１０に位置決めプレート２０を取り付けた状態において、プレート先端部２１ａが模型歯の先端に接触又は近接する位置となるような場合には、プレート体２１を湾曲させる作業を行わずにキャリア４を形成させるようにしてもかまわない。
【図面の簡単な説明】
【００４３】
【図１】本発明の実施の形態による歯列矯正用冶具を歯に取り付けた状態を示す図である。
【図２】図１に示す歯列矯正用冶具の斜視図である。
【図３】ブラケットの構成を示す図であって、（ａ）はその側面図、（ｂ）は（ａ）に示すＡ−Ａ線矢視図である。
【図４】位置決めプレートの構成を示す図であって、（ａ）はその側面図、（ｂ）は（ａ）に示すＢ−Ｂ線矢視図である。
【図５】ブラケットに位置決めプレートを取り付けた状態を示す側面図である。
【図６】図５に示すＣ−Ｃ線矢視図である。
【図７】アーチワイヤにブラケットを保持させた状態を示す図である。
【図８】キャリアを作成する作業状態を示す図である。
【図９】本実施の形態の変形例による歯列矯正用冶具の構成を示す側面図である。
【符号の説明】
【００４４】
１、１Ａ  歯列矯正用冶具
２、２Ａ、２Ｂ  アーチワイヤ（ワイヤ）
３  ベースレジン（スペーサ）
４  キャリア
５  連結材
１０、１０Ａ  ブラケット
１１  定着板
１３  凹溝
１４  第１突出部
１４ａ  第１係合凹部
１５  第２突出部
１５ａ  第２係合凹部
２０  位置決めプレート
２１  プレート体（湾曲体）
２１ａ  プレート先端部
２２  ブラケット取付部
２２ａ  第１係合凸部
２２ｂ  第２係合凸部
Ｄ  歯、模型歯
【図１】
0005231069.tif 000002
【図２】
0005231069.tif 000003
【図３】
0005231069.tif 000004
【図４】
0005231069.tif 000005
【図５】
0005231069.tif 000006
【図６】
0005231069.tif 000007
【図７】
0005231069.tif 000008
【図８】
0005231069.tif 000009
【図９】
0005231069.tif 000010